(57)【要約】【課題】三次元的な立体形状の展示物を邪魔になることなく博物館のような趣で効果的に展示できると共に、利便性に富んだ収納スペースを確保できる展示収納部付き建物を提供する。【解決手段】２階の床部１３を貫通して設けた少なくとも１．５層分の高さの吹抜部１５を囲む４方の壁面のうちの一面１８ａに隣接して、２階の床部１３から０．５層分の高さの上階収納庫１９が、吹抜部１５における高さ方向の中間部分に設けられ、且つ上階収納庫１９の吹抜部１５に面した壁面５３は、吹抜部１５から透視可能な透明部５１を備えていることにより、上階収納庫１９の吹抜部１５に沿った部分は、吹抜部１５を介して観賞可能な展示スペース５２を形成している。【選択図】図３
2008063886.tif 000002
【特許請求の範囲】
【請求項１】
上階の床部を貫通して設けた少なくとも１．５層分の高さの吹抜部を囲む４方の壁面のうちの一面に隣接して、前記上階の床部から０．５層分の高さの上階収納庫が、前記吹抜部における高さ方向の中間部分に設けられ、且つ前記上階収納庫の前記吹抜部に面した壁面は、前記吹抜部から透視可能な開口部又は透明部を備えていることにより、前記上階収納庫の前記吹抜部に沿った部分は、前記吹抜部を介して観賞可能な展示スペースを形成している展示収納部付き建物。
【請求項２】
前記上階収納庫は、前記上階の床部から上方に０．５層分の高さで設けられている請求項１に記載の展示収納部付き建物。
【請求項３】
前記上階収納庫の上方には、前記上階から階段を介して出入り可能な上方収納庫又は上方居住部が設けられている請求項２に記載の展示収納部付き建物。
【請求項４】
前記上階収納庫は、前記上階の床部から下方に０．５層分の高さで設けられている請求項１に記載の展示収納部付き建物。
【請求項５】
前記上階収納庫の前記吹抜部に沿った部分を仕切壁又は仕切建具で仕切ることにより、当該仕切壁又は仕切建具よりも前記吹抜部に面した壁面側の部分が前記展示スペースとなっている請求項１〜４にいずれかに記載の展示収納部付き建物。
【請求項６】
前記上階収納庫の前記吹抜部に面した壁面は開口部を備えおり、該開口部には、立上り壁又は安全柵が設けられている請求項１〜５のいずれかに記載の展示収納部付き建物。
【請求項７】
前記吹抜部には、下階の床部から上方に０．５層分の高さに配置されて上階と下階との間の踊場部が設けられており、該踊場部の下方には、下階から出入り可能な踊場下収納庫又は踊場下居住部が設けられている請求項１〜６のいずれかに記載の展示収納部付き建物。
【発明の詳細な説明】
【技術分野】
【０００１】
本発明は、展示収納部付き建物に関し、特に吹抜部を介して観賞可能な展示スペースが設けられている展示収納部付き建物に関する。
【背景技術】
【０００２】
建物の内部に吹抜部を設けることにより、採光や通風を効果的に行えるようにすると共に、ゆったりとした開放感が得られるようにした建物が開示されている（例えば、特許文献１参照）。また、吹抜部の上方に蔵型収納空間を設けたり（例えば、特許文献２参照）、床高部屋を設けることによって（例えば、特許文献３参照）、吹抜け部の上部空間を有効利用するようにした建物も開示されている。
【特許文献１】特開２００１−１９３２９４号公報
【特許文献２】特開平６−３２３０１０号公報
【特許文献２】特開平１０−２６６５９１号公報
【発明の開示】
【発明が解決しようとする課題】
【０００３】
このような吹抜部を有する建物では、吹抜部は、少なくとも１．５層分の高さを有しており、吹抜部の周囲の壁面は、相当の高さを有する大きな展示面を形成することができるため、絵画や掛け軸等の平面的は展示物を効果的に展示することが可能になり、適度な広がりと開放感が得られる吹抜部の雰囲気と相俟って、屋内に意匠性に優れた空間を形成することが可能になる。
【０００４】
一方、吹抜部に三次元的な立体形状の展示物を展示すると、大きさの限られた吹抜部の空間における相当の領域を占有することになって、却って邪魔になる場合がある。また観賞のし易さ等を考慮して、三次元的な立体形状の展示物を居住者が見易い高さ位置に設置しようとすると、専用の展示台等を必要として、さらに吹抜部の空間を狭めることになる。
【０００５】
また、近年、生活に使用する日用品や家具類等の物品の種類も多種多様となってきており、例えば季節に応じてこれらの物品を交換しながら使用する機会も多いことから、建物内部の空間を効率良く利用して、建物に大きなスペースの収納空間を確保することが要望されている。さらに、収納空間に収容される収容物のうち、美観に富んだものや愛着のあるものについては、完全に仕舞い込んでしまうのではなく、自由に観賞できる状態で収納空間に収容しておきたい場合もある。
【０００６】
本発明は、このような従来の課題に着目してなされたものであり、三次元的な立体形状の展示物を邪魔になることなく吹抜部に効果的に展示することができると共に、吹抜部の開放的な雰囲気と相俟って、博物館や展示館のような趣きで展示物を観賞させることができ、且つ利便性に富んだ収納スペースを確保することのできる展示収納部付き建物を提供することを目的とする。
【課題を解決するための手段】
【０００７】
本発明は、上階の床部を貫通して設けた少なくとも１．５層分の高さの吹抜部を囲む４方の壁面のうちの一面に隣接して、前記上階の床部から０．５層分の高さの上階収納庫が、前記吹抜部における高さ方向の中間部分に設けられ、且つ前記上階収納庫の前記吹抜部に面した壁面は、前記吹抜部から透視可能な開口部又は透明部を備えていることにより、前記上階収納庫の前記吹抜部に沿った部分は、前記吹抜部を介して観賞可能な展示スペースを形成している展示収納部付き建物を提供することにより、上記目的を達成したものである。
【０００８】
ここで、上記記載における１．５層分の高さは、一般に２３０〜４００ｃｍ程度の高さを有する建物の１層分の高さに、これの略半分程度の高さを加えて、１層分の高さと２層分の高さの中間部分に位置する高さを略称するものであり、１層分の高さの１．５倍の高さの他、１層分の高さの１．４０〜１．７５倍程度の高さを含むものである。また、０．５層分の高さは、一般に２３０〜４００ｃｍ程度の高さを有する１層分の高さの中間部分に位置する高さを略称するものであり、１層分の高さの１／２の高さの他、１層分の高さの４０〜７５％程度の高さを含むものである。
【０００９】
そして、本発明の展示収納部付き建物は、前記上階収納庫を、前記上階の床部から上方に０．５層分の高さで設けることができる。
【００１０】
また、本発明の展示収納部付き建物は、前記上階収納庫の上方に、前記上階から階段を介して出入り可能な上方収納庫又は上方居住部を設けても良い。
【００１１】
さらに、本発明の展示収納部付き建物は、前記上階収納庫を、前記上階の床部から下方に０．５層分の高さで設けることもできる。
【００１２】
さらにまた、本発明の展示収納部付き建物は、前記上階収納庫の前記吹抜部に沿った部分を仕切壁又は仕切建具で仕切ることにより、当該仕切壁又は仕切建具よりも前記吹抜部に面した壁面側の部分を前記展示スペースとすることが好ましい。
【００１３】
また、本発明の展示収納部付き建物は、前記上階収納庫の前記吹抜部に面した壁面が開口部を備えており、該開口部には、立上り壁又は安全柵が設けられていることが好ましい。
【００１４】
さらに、本発明の展示収納部付き建物は、前記吹抜部には、下階の床部から上方に０．５層分の高さに配置されて上階と下階との間の踊場部が設けられており、該踊場部の下方には、下階から出入り可能な踊場下収納庫又は踊場下居住部が設けられていることが好ましい。
【００１５】
そして、本発明の展示収納部付き建物では、吹抜部を囲む壁面に隣接して、上階の床部から０．５層分の高さの上階収納庫が、吹抜部における高さ方向の中間部分に設けられ、且つ上階収納庫の吹抜部に面した壁面は、吹抜部から透視可能な開口部又は透明部を備えていることにより、上階収納庫の吹抜部に沿った部分は、吹抜部を介して観賞可能な展示スペースとなっているので、この展示スペースに展示物を収容することによって、展示物が三次元的な立体形状を有するものであっても、吹抜部の相当の領域を占有して邪魔になることなく、且つ専用の展示台等を要することなく、居住者が見易い高さである吹抜部の中間部分に展示物を露出させて、当該展示物を容易且つ効果的に展示することが可能になる。また、吹抜部を介して展示スペースの展示物を観賞することになるので、吹抜部の開放的な雰囲気と相俟って、博物館や展示館のような趣きで展示物を観賞することが可能になり、屋内に意匠性に優れた空間を形成することが可能になる。さらに、展示スペースを構成する上階収納庫は、上階の床部から出し入れが容易な利便性に富んだ収納スペースを形成することが可能になる。さらにまた、展示物や収納物の展示スペースへの出し入れは、上階収納庫における展示スペースの裏側部分や上階の床部から容易に行うことが可能になる。
【００１６】
また、本発明の展示収納部付き建物では、上階収納庫を、上階の床部から上方に０．５層分の高さで設ければ、上階収納庫の床部を上階の床部と同じ高さとして、上階の床部からの出し入れがさらに容易な収納庫を形成することができると共に、吹抜部を介して下階からも上階からも観賞し易い展示スペースを形成することが可能になる。
【００１７】
さらに、上階の床部から上方に０．５層分の高さで設けた上階収納庫の上方に、上階から階段を介して出入り可能な上方収納庫又は上方居住部が設ければ、上階収納庫の上方の余った空間を収納スペースや居住スペースとして有効利用することが可能になる。
【００１８】
さらにまた、本発明の展示収納部付き建物では、上階収納庫を、上階の床部から下方に０．５層分の高さで設ければ、上階収納庫の上方を上階部分のスペースとしてそのまま使用することができると共に、特に下階から吹抜部を介して観賞し易い展示スペースを形成することが可能になる。
【００１９】
また、本発明の展示収納部付き建物では、上階収納庫の吹抜部に沿った部分を仕切壁又は仕切建具で仕切ることによって、当該仕切壁又は仕切建具よりも吹抜部に面した壁面側の部分を展示スペースとすれば、展示スペースと収納スペースとを区画して、上階収納庫をより効率良く利用することが可能になると共に、当該仕切壁や仕切建具を用いて、展示スペースの背景を自由にデザインすることが可能になる。
【００２０】
さらに、本発明の展示収納部付き建物では、上階収納庫の吹抜部に面した壁面に開口部を設けるようにすれば、展示スペースに観葉植物等の植生を展示することが可能になると共に、開口部に立上り壁又は安全柵を設けることによって、展示スペースから観葉植物等の植生が落下しないようにすることができ、また例えばプランター等が見えないように目隠しして、植生をより自然なかたちで観賞させることが可能になる。
【００２１】
さらにまた、本発明の展示収納部付き建物では、吹抜部に、下階の床部から上方に０．５層分の高さに配置して上階と下階との間に踊場部を設け、この踊場部の下方には、下階から出入り可能な踊場下収納庫又は踊場下居住部を設けるようにすれば、吹抜部をさらに有効利用することが可能になると共に、下階の床部から出し入れや出入りが容易な使い勝手の良い収納スペースや居住スペースを形成することが可能になる。
【発明の効果】
【００２２】
本発明の展示収納部付き建物によれば、三次元的な立体形状の展示物を邪魔になることなく吹抜部に効果的に展示することができると共に、吹抜部の開放的な雰囲気と相俟って、博物館や展示館のような趣きで展示物を観賞させることができ、且つ利便性に富んだ収納スペースを確保することができる。
【発明を実施するための最良の形態】
【００２３】
本発明の好ましい一実施形態に係る展示収納部付き建物１０は、例えば北側立面図として図１に、東側立面図として図２に示すように、寄棟屋根１１を有する２階建の住宅建築物であって、その基本的な内部構造として、南側から見た断面図である図３に示すように、１階の床部１２から１層分の高さ位置に、２階の床部１３でもある１階の天井部が設けられると共に、２階の床部１３から１層分の高さ位置に配置される軒桁１４の高さ位置に、２階の天井部１６が設けられた構造を備えている。本実施形態の展示収納部付き建物１０は、このような軒桁１４の高さ位置に２階の天井部１６を配置した建物１０の基本構造の一部に組み込むようにして、２階の床部１３を上下に横切る吹抜部１５を設けることにより、屋内に適度な広がりと開放感を与えると共に、吹抜部１５を介して観賞可能な展示スペース５２を、吹抜部１４を囲む壁面１８ａよりも奥部に設けて、吹抜部１５の領域を占有することなく、吹抜部１５の開放的な雰囲気と相俟って、博物館や展示館のような趣きで展示スペース５２の展示物を観賞することができるようにすることを目的として採用されたものである。
【００２４】
そして、本実施形態の展示収納部付き建物１０は、図３〜図６に示すように、２階（上階）の床部１３を貫通して設けた少なくとも１．５層分の高さの吹抜部１５を囲む４方の壁面のうちの一面（西側の側壁面）１８ａに隣接して、２階（上階）の床部１３から０．５層分の高さの上階収納庫１９が、吹抜部１５における高さ方向の中間部分に設けられ、且つ上階収納庫１９の吹抜部１５に面した壁面５３は、吹抜部１５から透視可能な開口部又は透明部５１を備えていることにより、上階収納庫１９の吹抜部１５に沿った部分は、吹抜部１５を介して観賞可能な展示スペース５２を形成している。
【００２５】
また、本実施形態の展示収納部付き建物１０では、上階収納庫１９は、２階の床部１３から上方に０．５層分の高さで設けられており、上階収納庫１９の上方には、２階から階段２１を介して出入り可能な上方居住部２０が設けられている。
【００２６】
さらに、本実施形態では、上階収納庫１９の吹抜部１５に沿った部分を仕切壁又は仕切建具５４で仕切ることにより、仕切壁又は仕切建具５４よりも吹抜部１５に面した壁面５３側の部分が展示スペース５２となっている。
【００２７】
さらにまた、本実施形態では、吹抜部１５には、１階（下階）の床部１２から上方に０．５層分の高さに配置されて１階と２階との間の踊場部２２が設けられており、この踊場部２２の下方には、１階の床部１２から出入り可能な踊場下居住部２３が設けられている。
【００２８】
本実施形態によれば、建物１０の１階部分の間取りとしては、図４に示すように、南側に面した中央よりもやや西側に片寄った位置に、玄関２４が設けられ、玄関２４の北側には、１階ホール２５が設けられている。１階ホール２５の西側には、和室２６が設けられ、和室２６の北側には、建物１０の北西の角部に配置されて、洋室２７が設けられている。
【００２９】
１階ホール２５の東側に隣接する矩形平面形状の部分は、２階の床部１３を貫通して天井部１６が軒桁１４（図３参照）の高さ位置に至る吹抜部１５となっている。この吹抜部１５は、南側略半分の領域を占める、１階の床部１２から軒桁１４（２階の天井部１６）の高さ位置に至る２層分の高さの主吹抜部２８と、北側略半分の領域を占める踊場部２２とからなる（図５参照）。踊場部２２は、上述のように、１階（下階）の床部１２から０．５層分の高さに配置されることにより、その上方が１．５層分の高さで軒桁１４（２階の天井部１６）の高さ位置に至る吹抜空間となっている（図３参照）。また、本実施形態では、踊場部２２の下方の空間は、その床部２３ａを１階の床部１２から一段下げて形成することにより、居住者が立って歩ける程度の天井高さを確保し、踊場下居住部２３として用いることができるようになっている。なお、踊場部２２の下方の空間は、その床部が１階の床部１２と同じ高さに配置されて居住者が立てる程度の天井高さを確保できない場合でも、踊場下収納庫等として有効に利用することが可能である。
【００３０】
また、本実施形態では、１階ホール２５及び玄関２４の東側に隣接する部分は、吹抜部１５の主吹抜部２８を含んで建物１０の南東部分を占めるように設けられた、リビングダイニング２９となっている。下方が踊場下居住部２３となった吹抜部１５の踊場部２２の東側には、リビングダイニング２９の北側に隣接して、当該リビングダイニング２９から出入り可能なキッチン３０が設けられている。キッチン３０の北側には、建物１０の北東角部に配置されて、勝手口部屋３１が設けられている。
【００３１】
さらに、本実施形態では、吹抜部１５の踊場部２２の北側には、勝手口部屋３１と洋室２７との間で東西方向に延設する１階中廊下３２が、１階ホール２５からＬ字形状に折れ曲がって設けられている。この１階中廊下３２の北側には、勝手口部屋３１の西側に順次隣接して、洗面脱衣室３３、浴室３４、及び１階トイレ３５が設けられている。
【００３２】
１階ホール２５から下部階段３６を介して踊場部２２に至り、さらに踊場部２２から上部階段３７を介して昇降可能な建物１０の２階部分の間取りとしては、図５に示すように、吹抜部１５の北側の側壁面（手摺面）１８ｂに沿って、上部階段３７の昇降口が臨む北側２階ホール３８が、東西方向に延設して設けられている。北側２階ホール３８には、２階トイレ４７や書斎コーナー４８が設けられると共に、東側端部に隣接して、当該北側２階ホール３８から出入り可能なファミリースペース３９が、建物１０の北東部分に設けられている。ファミリースペース３９の南側には、建物１０の南東部分に配置されて、洋室４０が設けられており、これらのファミリースペース３９及び洋室４０は、吹抜部１５の東側の側壁面１８ｃに沿って配設される。また、吹抜部１５の南側の側壁面（手摺り面）１８ｄに沿って、南側２階ホール４１が、東西方向に延設して設けられている。
【００３３】
そして、本実施形態によれば、吹抜部１５の西側の側壁面１８ａに沿うように隣接して、２階（上階）の床部１３から０．５層分の高さの上階収納庫１９（図３参照）が、北側２階ホール３８と南側２階ホール４１との間に挟まれるように配置されて設けられている。上階収納庫１９の西側には、仕切壁４２を挟んで隣接する主寝室４３が設けられており、この主寝室４３には、北側２階ホール３８及び南側２階ホール４１の西側端部から、各々出入りできるようになっている。主寝室４３の北側には、建物１０の北西角部に配置されて、主寝室４３から出入り可能なウォークインクロゼット４４が設けられていると共に、主寝室４３の南側には、建物１０の南西角部に配置されて、主寝室４３から出入り可能なバルコニー４５が設けられている。
【００３４】
また、本実施形態では、主寝室４３には、上階収納庫１９との間の仕切壁４２の北側部分を切り欠いて、室内階段２１が設けられており、この室内階段２１を介して、上階収納庫１９の上方の上方居住部２０に出入り可能となっている（図６参照）。
【００３５】
室内階段２１を介して出入り可能な上方居住部２０は、図６及び図３に示すように、例えばタタミコーナーを形成していると共に、その上半部分２０ａを軒桁１４（２階の天井部１６）の上方に延在していることにより、１層分の高さを備えている。上方居住部２０の西側には、吹抜部１５の上方に設けられた軒桁上収納庫１７が隣接して配置される。これによって、軒桁上収納庫１７の床部１７ａと上方居住部２０の床部２０ｂとの間の高低差は０．５層分の高低差になると共に、軒桁上収納庫１７と上方居住部２０との間の出入口４６を、軒桁１４よりも上方の屋根裏部分において、０．５層分の高さの大きな間口で形成することが可能になる。
【００３６】
なお、本実施形態では、寄棟屋根１１の屋根裏部分において、棟木の延設方向である東西方向に隣接して、軒桁上収納庫１７と上方居住部２０とが並んで設けられており、これによって、これらの間の出入口４６は、棟木の延設方向に向けて開口することになるので、寄棟屋根１１の屋根裏部分の断面形状を効率良く利用して、相当の高さと幅の間口を有するように、出入口４６の開口を容易に設計することが可能になる。また、軒桁上収納庫１７と上方居住部２０との間の出入口４６には、開閉戸を適宜設けることができると共に、仕切り壁を適宜設けて仕切り部分の一部のみを開口させるようにしても良い。
【００３７】
さらに、本実施形態では、上方居住部２０の上階収納庫１９と軒桁上収納庫１７との間の吹抜部１５に面した壁面には、開閉可能な連通口４９（図３参照）が設けられており（連通口４９は常時開放のものや、面格子付きのもの等であっても良い。）、上段居住部２０や軒桁上収納庫１７の上方の屋根面には、開閉可能なトップライト５０（図１，図２参照）が設けられている。
【００３８】
ここで、本実施形態では、上階収納庫１９の吹抜部１５に面した壁面５３（吹抜部１５の西側の側壁面１８ａの一部）に、図３及び図５に示すように、好ましくは略全体に亘って例えば透明ガラス等を嵌め込むことにより、吹抜部１５から透視可能な透明部５１を設けて、上階収納庫１９の吹抜部１５に沿った部分に、吹抜部１５から観賞可能な展示スペース５２が形成されている。
【００３９】
このような展示スペース５２を設けることにより、吹抜部１５の西側の側壁面１８ａの中間部分に配置されて、見易い高さに露出する当該展示スペース５２内の展示物を、開放感のある吹抜部１５から、博物館や展示館のような趣きで観賞することが可能になると共に、三次元的な立体感を備える展示物に適した展示スペース５２を、容易に形成することが可能になる。また、展示物や収納物の展示スペース５２への出し入れは、好ましくは上階収納庫１９における展示スペース５２の裏側部分や、北側２階ホール３８や南側２階ホール４１による２階の床部１２から、容易に行うことが可能になる。
【００４０】
そして、上述の構成を備える本実施形態の展示収納部付き建物１０によれば、三次元的な立体形状の展示物を邪魔になることなく吹抜部１５に効果的に展示することができると共に、吹抜部１５の開放的な雰囲気と相俟って、博物館や展示館のような趣きで展示物を観賞させることができ、且つ利便性に富んだ収納スペースを確保することが可能になる。
【００４１】
すなわち、本実施形態によれば、展示収納部付き建物１０は、吹抜部１５を囲む壁面１８ａに隣接して、２階の床部から０．５層分の高さの上階収納庫１９が、吹抜部１５における高さ方向の中間部分に設けられ、且つ上階収納庫１９の吹抜部１５に面した壁面５３は、吹抜部１５から透視可能な透明部５１を備えていることにより、上階収納庫１９の吹抜部１５に沿った部分は、吹抜部１５を介して観賞可能な展示スペース５２となっているので、この展示スペース５２に展示物を収容することによって、展示物が三次元的な立体形状を有するものであっても、吹抜部１５の相当の領域を占有して邪魔になることなく、且つ専用の展示台等を要することなく、居住者が見易い高さである吹抜部１５の中間部分に展示物を露出させて、当該展示物を容易且つ効果的に展示することが可能になる。
【００４２】
また、吹抜部１５を介して展示スペース５２の展示物を観賞することになるので、吹抜部１５の開放的な雰囲気と相俟って、博物館や展示館のような趣きで展示物を観賞することが可能になり、屋内に意匠性に優れた空間を形成することが可能になる。さらに、展示スペース５２を構成する上階収納庫１９は、２階の床部１３から出し入れが容易な利便性に富んだ収納スペースを形成することが可能になる。さらにまた、展示物や収納物の展示スペース５２への出し入れは、上階収納庫１９における展示スペース５２の裏側部分や２階の床部１３から容易に行うことが可能になる。
【００４３】
また、本実施形態によれば、上階収納庫１９を、２階の床部１３から上方に０．５層分の高さで設けたので、上階収納庫１９の床部を２階の床部１３と同じ高さとして、２階の床部１３からの出し入れがさらに容易な収納庫を形成することができると共に、吹抜部１５を介して１階からも２階からも観賞し易い展示スペース５２を形成することが可能になる。
【００４４】
さらに、本実施形態によれば、上階収納庫１９の上方に、２階から階段２１を介して出入り可能な上方居住部２０を設けたので、上階収納庫１９の上方の余った空間を居住スペースとして有効利用することが可能になる。
【００４５】
さらにまた、本実施形態によれば、上階収納庫１９の吹抜部１５に沿った部分を仕切壁又は仕切建具５４で仕切ることによって、当該仕切壁又は仕切建具５４よりも吹抜部１５に面した壁面５３側の部分を展示スペース５２としたので、展示スペース５２と収納スペースとを区画して、上階収納庫１９をより効率良く利用することが可能になると共に、当該仕切壁や仕切建具５４を用いて、展示スペース５２の背景を自由にデザインすることが可能になる。
【００４６】
また、本実施形態では、吹抜部１５に、１階の床部１２から上方に０．５層分の高さに配置して２階と１階との間に踊場部２２を設け、この踊場部２２の下方には、１階から出入り可能な踊場下居住部２３を設けたので、吹抜部１５をさらに有効利用することが可能になると共に、１階の床部１２から出入りが容易な使い勝手の良い居住スペースを形成することが可能になる。
【００４７】
図７は、吹抜部１５を囲む壁面１８ａに隣接し設けた上階収納庫１９’及び展示スペース５２’の他の形態を例示するものである。図７によれば、展示スペース５２’が形成される上階収納庫１９’は、２階の床部１３から下方に０．５層分の高さで設けられている。上階収納庫１９’が２階の床部１３から下方に０．５層分の高さで設けられていることにより、上階収納庫１９’の上方を２階部分のスペースとしてそのまま使用することができると共に、特に１階から吹抜部１５を介して観賞し易い展示スペース５２’を形成することが可能になる。
【００４８】
図８は、吹抜部１５に面して設けられたを展示スペース５２”の他の形態を例示するものである。図８によれば、上階収納庫１９”（展示スペース５２”）の吹抜部１５に面した壁面５３”は開口部５５を備えおり、この開口部５５には、立上り壁５６が設けられている。上階収納庫１９”の吹抜部１５に面した壁面５３”に開口部５５を設けることにより、展示スペース５２”に観葉植物等の植生５７を展示することが可能になると共に、開口部５５に立上り壁５６を設けることにより、展示スペース５２”から観葉植物等の植生５７が落下しないようにすることができ、また例えばプランター５８等が見えないように目隠しして、植生５７をより自然なかたちで観賞させることが可能になる。また、開口部５５に例えば格子状の安全柵を設けることによっても、展示スペース５２”から観葉植物等の植生５７が落下しないようしつつ、植生５７を観賞させることが可能になる。
【００４９】
さらに、例えば開口部５５の上縁部分に下り壁５９を設けると共に、下り壁５７によって目隠しするようにして、展示スペース５２”の天井部分に照明器具６０を取り付けることにより、展示スペース５２”における展示効果を向上させるが可能になる。
【００５０】
なお、本発明は上記実施形態に限定されることなく種々の変更が可能である。例えば、本発明の展示収納部付き建物は、２階建の住宅建築物である必要は必ずしもなく、２階等を下階、３階等を上階として、３階建て以上の建物に適用することもできる。また、下階部分及び上階部分の間取りは、上述のものに限定されること無く、その他の種々の間取りとすることもできる。
【図面の簡単な説明】
【００５１】
【図１】本発明の好ましい一実施形態に係る展示収納部付き建物の北側立面図である。
【図２】本発明の好ましい一実施形態に係る展示収納部付き建物の東側立面図である。
【図３】本発明の好ましい一実施形態に係る展示収納部付き建物を南側から見た、図４及び図５のＡ−Ａに沿った断面図である。
【図４】本発明の好ましい一実施形態に係る展示収納部付き建物の構成を説明する１階部分の間取り図である。
【図５】本発明の好ましい一実施形態に係る展示収納部付き建物の構成を説明する２階部分の間取り図である。
【図６】本発明の好ましい一実施形態に係る展示収納部付き建物の構成を説明する屋根裏部分の間取り図である。
【図７】吹抜部を囲む壁面に隣接し設けた上階収納庫及び展示スペースの他の形態を例示する略示断面図である。
【図８】吹抜部に面して設けられたを展示スペースの他の形態を例示する略示断面図である。
【符号の説明】
【００５２】
１０  展示収納部付き建物
１２  １階（下階）の床部
１３  ２階（上階）の床部
１４  軒桁
１５  吹抜部
１６  ２階（上階）の天井部
１８ａ  西側の側壁面（吹抜部を囲む４方の側壁面の一面）
１９，１９’，１９”  上階収納庫
２０  上方居住部
２２  踊場部（吹抜部）
２３  踊場下居住部
２８  主吹抜部（吹抜部）
３６  下部階段
３７  上部階段
５１  透明部
５２，５２’，５２”  展示スペース
５３，５３”  上階収納庫の吹抜部に面した壁面
５４  仕切壁又は仕切建具
５５  開口部
５６  立上り壁
５７  植生
５８  プランター
５９  下り壁
６０  照明器具
【図１】
2008063886.tif 000003
【図２】
2008063886.tif 000004
【図３】
2008063886.tif 000005
【図４】
2008063886.tif 000006
【図５】
2008063886.tif 000007
【図６】
2008063886.tif 000008
【図７】
2008063886.tif 000009
【図８】
2008063886.tif 000010